(57)【要約】  廃棄物搬送システム等の空気圧式材料搬送システムの方法であって、搬送システムは、材料、特に廃材の少なくとも１つの供給点６１と、該供給点６１に接続可能である材料搬送パイプ１００と、搬送中の材料を搬送空気から分離するセパレータデバイス２０と、少なくとも材料の搬送中に搬送パイプ１００内に差圧を与える手段３、４とを備える、方法。搬送配管１００の少なくとも一部が、真空ユニット３等の少なくとも１つの第１のポンプデバイス及びブロワユニット４等の少なくとも１つの第２のポンプデバイスで少なくとも材料の搬送中に、搬送空気を循環させる回路の部分として接続可能である。【選択図】図１
2011506233.tif 000002
【特許請求の範囲】
【請求項１】
廃棄物搬送システム等の空気圧式材料搬送システムの搬送パイプを洗浄する方法であって、洗浄される前記搬送パイプに少なくとも１つの洗浄手段（７５）及び／又は洗浄剤及び／又は液体が供給され、前記パイプに差圧が与えられ、洗浄するために前記洗浄手段及び／又は洗浄剤及び／又は液体が、洗浄することが意図される搬送パイプ部分を通して前記差圧の影響によって移動させられる、方法において、
洗浄することが意図される前記搬送パイプ（１００）の少なくとも一部が、真空ユニット（３）等の少なくとも１つの第１のポンプデバイス及び／又はブロワユニット（４）等の少なくとも１つの第２のポンプデバイスによる少なくとも前記洗浄手段（７５）及び／又は洗浄剤及び／又は液体の搬送中に、搬送空気を循環させる回路の部分として接続されることを特徴とする、方法。
【請求項２】
廃棄物搬送システムの前記搬送パイプ（１００）の洗浄に用いられることを特徴とする、請求項１に記載の方法。
【請求項３】
前記洗浄手段（７５）は、供給点（７２）から供給され、洗浄循環後にセパレータデバイス（２０、７０）に戻り、前記セパレータデバイス（２０、７０）は、有利には前記供給点（７２）と実質的に同じ空間にあることを特徴とする、請求項１又は２に記載の方法。
【請求項４】
前記洗浄手段（７５）として、パイプのいわゆる「ラインピッグ」等、前記パイプに適した洗浄ボール又は他の何らかの洗浄手段が用いられることを特徴とする、請求項１〜３のいずれか１項に記載の方法。
【請求項５】
前記洗浄手段及び／又は洗浄剤及び／又は液体は、差圧の影響によって洗浄ライン（７７）で前記搬送パイプに接続される洗浄手段の前記供給点（７２）から前記パイプに供給されることを特徴とする、請求項１〜４のいずれか１項に記載の方法。
【請求項６】
前記洗浄手段及び／又は洗浄剤及び／又は液体は、洗浄することが意図される前記搬送パイプ（１００）の部分を経て、前記セパレータデバイス（２０、７０）に、特に前記洗浄手段（７５）及び／又は洗浄剤及び／又は液体を搬送空気から分離する洗浄セパレータ（７０）に循環させられることを特徴とする、請求項１〜５のいずれか１項に記載の方法。
【請求項７】
前記洗浄手段及び／又は洗浄剤及び／又は液体は、洗浄循環の終わりに、有利には三方弁（８０）等の多方弁で、別個の前記洗浄セパレータ（７０）に向けて制御されることを特徴とする、請求項１〜６のいずれか１項に記載の方法。
【請求項８】
第１の動作モードで、前記真空ユニット（３）等の少なくとも１つの第１のポンプデバイス及び／又は前記ブロワユニット（４）等の１つの第２のポンプデバイスで、前記回路内に負圧が与えられ、前記第１のポンプデバイス及び／又は前記第２のポンプデバイスの吸引側が、前記セパレータ要素（２０）に又はそれにつながる空気チャネル（１０５、１０６）を介して前記搬送パイプ（１００）に接続されることを特徴とする、請求項１〜７のいずれか１項に記載の方法。
【請求項９】
前記方法の第１の動作モードで、前記真空ユニット（３）等の少なくとも１つの第１のポンプデバイス及び／又は前記ブロワユニット（４）等の１つの第２のポンプデバイスの吹出側が、出口チャネル（１１２）又は同等物に接続されることを特徴とする、請求項１〜３のいずれか１項に記載の方法。
【請求項１０】
前記方法の第２の動作モードで、前記真空ユニット（３）等の少なくとも１つの第１のポンプデバイスの前記吹出側が前記ブロワユニット（４）等の少なくとも１つの第２のポンプデバイスの前記吸引側に接続されるため、前記第１のポンプデバイスの前記吹出側の空気の少なくとも一部が、前記第２のポンプデバイスの前記吸引側に循環させられることを特徴とする、請求項９に記載の方法。
【請求項１１】
吸引側が前記回路に吹出しを行うように接続される前記真空発生器（３）及び／又は前記ブロワ４等の少なくとも１つのポンプデバイスで、前記回路に圧力が与えられることを特徴とする、請求項１〜１０のいずれか１項に記載の方法。
【請求項１２】
洗浄段階後、前記回路内で搬送空気を循環させることによって、特に前記真空発生器（３）等の少なくとも１つの第１のポンプデバイス及び／又は前記ブロワ（４）等の１つの第２のポンプデバイスで前記回路に吹出しを行うことによって、前記搬送パイプの少なくとも一部が空気でフラッシュされ且つ／又は乾燥されることを特徴とする、請求項１〜１１のいずれか１項に記載の方法。
【請求項１３】
搬送される材料の種類を変更する前に利用されることを特徴とする、請求項１〜１２のいずれか１項に記載の方法。
【請求項１４】
前記搬送パイプ内で搬送される材料が例えば廃棄物の選別によって変更されるときに、廃棄物搬送システムに関連して用いられることを特徴とする、請求項１〜１３のいずれか１項に記載の方法。
【請求項１５】
廃棄物搬送システム等の空気圧式材料搬送システムの搬送パイプを洗浄する装置であって、洗浄することが意図される前記搬送パイプに洗浄手段及び／又は洗浄剤及び／又は液体を供給する手段と、少なくとも洗浄中に前記搬送パイプ（１００）内に差圧を与える手段（３、４）とを備える、装置において、
前記搬送パイプ（１００）の少なくとも一部が、真空ユニット（３）等の少なくとも１つの第１のポンプデバイス及び／又はブロワユニット（４）等の少なくとも１つの第２のポンプデバイスによる少なくとも前記洗浄手段（７５）及び／又は洗浄剤及び／又は液体の搬送中に、搬送空気を循環させる回路の部分として接続可能であることを特徴とする、装置。
【請求項１６】
洗浄ライン（７７）で前記搬送パイプに接続される洗浄手段の供給点（７２）を備え、前記洗浄ライン（７７）に、前記供給点から前記搬送パイプへの接続を開閉するための弁要素（７６）があることを特徴とする、請求項１５に記載の装置。
【請求項１７】
前記差圧を発生させる手段は、前記真空ユニット（３）等の少なくとも１つの第１のポンプデバイス及び／又は前記ブロワユニット（４）等の１つの第２のポンプデバイスを備え、前記第１のポンプデバイス及び／又は前記第２のポンプデバイスの吸引側が、前記セパレータ要素（２０）、特に洗浄セパレータ（７０）に、又はそれにつながる空気チャネル（１０５、１０６、７９）を介して前記搬送パイプ（１００）に接続可能であることを特徴とする、請求項１５又は１６に記載の装置。
【請求項１８】
２つ以上のセパレータデバイス（２０、７０）間の前記搬送空気循環の進路を変更する手段（８０）を備えることを特徴とする、請求項１５〜１７のいずれか１項に記載の装置。
【請求項１９】
前記洗浄手段の供給点（７２）及び前記洗浄セパレータ（７０）は、互いに近くに、有利には実質的に同じ空間に配置されることを特徴とする、請求項１５〜１８のいずれか１項に記載の装置。
【請求項２０】
第１の動作モードで、前記真空ユニット（３）等の少なくとも１つの第１のポンプデバイス及び／又は前記ブロワユニット（４）等の１つの第２のポンプデバイスの吹出側が、出口チャネル（１１２）又は同等物に接続されることを特徴とする、請求項１５〜１９のいずれか１項に記載の装置。
【請求項２１】
第２の動作モードで、前記真空ユニット（３）等の少なくとも１つの第１のポンプデバイスの吹出側が前記ブロワユニット（４）等の少なくとも１つの第２のポンプデバイスの吸引側に接続されるため、前記第１のポンプデバイスの前記吹出側の空気の少なくとも一部が、前記第２のポンプデバイスの前記吸引側に循環させられることを特徴とする、請求項１５〜２０のいずれか１項に記載の装置。
【請求項２２】
前記システムは、吸引側が前記回路に吹出しを行うように接続される前記真空発生器（３）及び／又は前記ブロワ（４）等の少なくとも１つのポンプデバイスで、前記回路に圧力を与えるように構成されることを特徴とする、請求項１５〜２１のいずれか１項に記載の装置。
【請求項２３】
前記回路内で搬送空気を循環させることによって、特に前記真空発生器（３）等の少なくとも１つの第１のポンプデバイス及び／又は前記ブロワ（４）等の１つの第２のポンプデバイスで前記回路に吹出しを行うことによって、前記搬送パイプ（１００）の少なくとも一部を空気でフラッシュし且つ／又は乾燥させる手段を備えることを特徴とする、請求項１５〜２２のいずれか１項に記載の装置。
【請求項２４】
前記洗浄手段（７５）は、パイプのいわゆる「ラインピッグ」等、前記搬送パイプ（１００）に適した洗浄ボール又は他の何らかの洗浄手段であることを特徴とする、請求項１５〜２３のいずれか１項に記載の装置。
【請求項２５】
廃棄物搬送システムに接続されることを特徴とする、請求項１５〜２４のいずれか１項に記載の装置。
【発明の詳細な説明】
【技術分野】
【０００１】
本発明は、請求項１のプリアンブルに記載の方法に関する。
【０００２】
本発明は、請求項１５に記載の装置にも関する。
【０００３】
本発明は、包括的には真空搬送システム等の空気圧搬送システムに関し、特に家庭廃棄物の搬送等の廃棄物の収集及び搬送に関する。より詳細には、本発明は、当該材料搬送システムの搬送パイプの洗浄に関する。
【背景技術】
【０００４】
廃棄物を吸引によって配管内で搬送するシステムが既知である。こうしたシステムでは、廃棄物は、吸引によって配管内で長距離にわたって搬送される。特に、異なる施設における廃棄物を搬送する装置が利用される。それらに典型的なのは、差圧を得るために真空装置が用いられ、真空装置において、搬送パイプ内の負圧が真空ポンプ又はエジェクタ装置等の真空発生器で与えられることである。搬送パイプには、通常は少なくとも１つの弁要素があり、弁要素の開閉によって搬送パイプに入る補給空気が調節される。真空搬送システムは通常、特に以下の問題：エネルギー消費が多いこと、配管内の空気流が多いこと、騒音の問題、出口パイプ内の塵及び微粒子といった問題を含む。さらに、従来技術の装置には湿気問題があり得る。雨天では、従来技術の装置は、吸引１回あたり外気から例えば１，０００リットルもの水を吸引し得る。これは、腐食及び閉塞に関する問題を引き起こす。例えば、古紙等が湿っている場合に配管に貼り付く。さらに、大型のシステムは、複数の別個の補給空気弁の配置を必要としており、これがシステムの複雑性及び費用を増大させる。さらに、搬送配管の洗浄が重要であるため、通常は複数の別個の分岐パイプから成る搬送システムの洗浄は面倒である。既知の構成では、搬送配管の迅速で費用効果的な洗浄が可能ではない。
【発明の概要】
【発明が解決しようとする課題】
【０００５】
本発明の目的は、既知の構成の欠点を回避する、材料搬送システムに関連する全く新しい構成を達成することである。本発明の別の目的は、洗浄プロセスを促進することができる、真空搬送システムの搬送パイプの洗浄に適用可能な構成を提供することである。さらなる目的は、塵及び微粒子の放出並びに生じ得る悪臭公害を同時に減らすことができる洗浄構成を提供することである。さらに別の目的は、配管内の水分の発生を減らすことである。
【課題を解決するための手段】
【０００６】
本発明による方法は、該方法において、搬送配管の少なくとも一部が、真空ユニット等の少なくとも１つの第１のポンプデバイス及び／又はブロワユニット等の少なくとも１つの第２のポンプデバイスで少なくとも洗浄手段及び／又は洗浄剤及び／又は液体の搬送中に、搬送空気を循環させる回路の部分として接続していることを主に特徴とする。
【０００７】
さらに、本発明による方法は、請求項２〜１４に記載のものを特徴とする。
【０００８】
本発明による装置は、洗浄することが意図される搬送パイプの少なくとも一部が、真空ユニット等の少なくとも１つの第１のポンプデバイス及び／又はブロワユニット等の少なくとも１つの第２のポンプデバイスで少なくとも洗浄手段及び／又は洗浄剤及び／又は液体の搬送中に、搬送空気を循環させる回路の部分として接続可能であることを主に特徴とする。
【０００９】
さらに、本発明による材料搬送システムは、請求項１６〜２５に記載のものを特徴とする。
【００１０】
本発明による構成には、大きな利点が数多くある。搬送空気の少なくとも一部が循環する回路を備えるようにシステムの搬送配管を構成することによって、出口空気の体積を減らすことができる。同時に、洗浄プロセスを迅速且つ効果的に行うことができる。洗浄手段の供給点及び戻り点を互いに近くに配置することによって、洗浄プロセスを容易且つ効果的に行うことができる。洗浄プロセスは、容易に自動化することができ、同じ洗浄手段をシステムで再使用して循環させることができる。同時に、システムのエネルギー消費が最小化される。負圧と同時に吹出しを維持することによって、回路内での搬送空気の循環及び搬送パイプ内での洗浄手段及び／又は洗浄剤及び／又は液体の搬送を効果的に行うことが可能である。複数の動作エリアすなわち部分回路から成るように材料搬送システムの搬送パイプを構成することによって、配管の種々の部分の洗浄を効果的に設定することが可能である。本発明による構成では、出口空気の体積を実質的に減らすことが可能であると同時に、出口パイプ内の塵及び微粒子に関して生じ得る問題を減らすことが可能である。本発明による構成は、従来技術が引き起こす騒音問題も実質的に減らす。洗浄後、搬送配管内で空気を循環させることによって配管を乾燥させることができる。内部に吸引される空気の体積が減るため、エネルギー消費も減る。
【００１１】
以下では、添付図面を参照して例を用いて本発明を詳細に説明する。
【図面の簡単な説明】
【００１２】
【図１】材料搬送システムを概略的に示す。
【図２】別の材料搬送システムを概略的に示す。
【図３】材料搬送システムに関連する本発明による装置の一部を概略的に示す。
【図４】第２の動作モードでの本発明の一実施形態によるシステムを概略的に示す。
【図５】第３の動作モードでの本発明の第３の実施形態によるシステムの一部を概略的に示す。
【図６】第４の動作モードでの本発明の第３の実施形態によるシステムの一部を概略的に示す。
【発明を実施するための形態】
【００１３】
図１において、参照符号６１、６６は、材料、特に搬送されることが意図される廃材の供給ステーションを示し、供給ステーションから材料、特に搬送されることが意図される家庭廃棄物等の廃材が搬送システムへ供給される。システムは、いくつかの供給ステーション６１、６６を備えることができ、ここから搬送されることが意図される材料が搬送配管１００、１０１、１０２、１０３、１０４へ供給される。通常、搬送配管は主搬送パイプ１００を備えており、いくつかの分岐搬送パイプ１０１、１０２が主搬送パイプ１００内に接続することができ、さらにいくつかの供給ステーション６１、６６が、供給パイプ１０３、１０４を介して主搬送パイプ１００内に接続することができる。供給された材料は、搬送配管１００、１０１、１０２、１０３、１０４に沿ってセパレータデバイス２０へ搬送され、セパレータデバイスでは搬送材料は、たとえば、落下速度及び遠心力によって搬送空気から分離される。分離された材料は、たとえば必要に応じて、セパレータデバイス２０から廃棄物容器５１等の材料容器へ又はさらなる処理のために除去される。材料容器は、図の実施形態におけるように、廃棄物コンパクタ５０を備える場合があり、ここから材料は廃棄物容器５１へさらに搬送される。図１の実施形態では、セパレータデバイス２０には材料出口要素２１、２４が設けられている。分離デバイス２０からは、パイプ１０５が、搬送パイプ内に負圧を発生させる手段３へつながっている。図１の実施形態では、負圧を発生させる手段は、真空ポンプユニット３を含む。負圧を発生させる手段によって、材料を搬送するのに必要な負圧が搬送配管１００、１０１、１０２、１０３、１０４内に与えられる。真空ポンプユニット３は、アクチュエータ３１によって作動されるポンプ３０を備える。
【００１４】
システムは、図の実施形態で吹出側から搬送パイプ１００に接続されるブロワユニット４をさらに備え得る。搬送パイプ１００は、図の実施形態で主搬送パイプ１００と、セパレータ要素２０と、パイプ１０５及び１０６とから成る回路の部分である。ブロワユニット４は、ブロワ４０及びそのアクチュエータ４１を備える。ブロワユニット４のブロワ４０は、吸引側が、分離デバイス２０から通じるパイプ１０５、１０６に対して配置される。したがって、搬送パイプ１００は、ブロワ４０の吹出側に接続される。主搬送パイプには、ブロワ４０の吹出方向において通常はブロワユニット４のブロワ４０と供給パイプ１０３及び／又は分岐搬送パイプ１０１、１０２との間に、少なくとも１つの弁要素６９が配置される。ブロワは、真空発生器と共に負圧も発生させる。
【００１５】
弁要素６４及び６９が閉鎖位置にある場合、ブロワ４０は、ブロワと搬送パイプ１００の弁要素６９との間の部分に対する圧力を上昇させる。同様に、搬送方向及び／又は空気流方向とは逆に進む方向に見た場合、図の実施形態でパイプ１０５、１０６、少なくとも１つのセパレータデバイス２０、２０’、及び分離デバイスから弁６９までの主搬送パイプ１００の部分を含む、真空発生器３及び／又はブロワ４０の吸引側の回路の部分では、弁６９、６４と搬送パイプへの供給ステーション６１、６６の弁６０、６５とが閉じている場合に負圧ができる。
【００１６】
図１の実施形態では、分岐搬送パイプ１０２は、主搬送パイプ１００の圧力側から主搬送パイプの吸引側まで延び、すなわち小回路の部分を形成する。分岐搬送パイプ１０２には、主搬送パイプの圧力側の端に弁６４が配置される。分岐搬送パイプの弁６４が開いていて、主搬送パイプの弁６９が閉じている場合、図の実施形態では、ブロワ４０からの空気が主搬送パイプの圧力側から分岐搬送パイプ１０２を経て主搬送パイプの吸引側へ、さらにセパレータデバイスを経てパイプ１０５及び１０６へ循環する、小回路が形成される。真空ポンプユニットが作動すると、回路内を循環している空気の一部が出口３４に導かれる。
【００１７】
図１による実施形態では、主搬送パイプ１００には、２つの第１の分岐搬送パイプ１０１が接続される。図中、両方の第１の分岐搬送パイプ１０１に２つの供給ステーション６１が接続されている。第２の分岐搬送パイプ１０２には、供給パイプ１０３によって３つの供給ステーション６１が接続されている。しかしながら、その数はより多くてもよく、例えば２０個でもよい。それらを開いて、最初にセパレータ要素２０に最も近いもの、続いて次に近いもの等、材料を搬送パイプに段階的に搬送することができる。
【００１８】
図の上側部分では、さらに３つの供給ステーション６６が供給パイプ１０４を介して主搬送パイプに直接接続されている。
【００１９】
図中でセパレータ要素の側から真空ユニット３及びブロワユニット４によって搬送パイプ１００に与えられる吸引の総量が、有利にはブロワユニットによって与えられる吹出しよりも多いことにより、搬送が負圧下で行われる。ブロワ４０では、例えば０．１バール〜０．５バールの範囲の圧力を与えることが通常は可能である。真空発生器では、同じく例えば０．１バール〜０．５バールの範囲の負圧を与えることが通常は可能である。吹出しは、弁６９、６４が閉じている場合、圧力の上昇と共にブロワ４０と弁６９（及び弁６４）との間の搬送パイプ１００の部分で、例えば＋０．５バールのエネルギー（すなわち、過圧）を蓄える。真空ユニット３の吸引は、他方の側で、すなわち弁６９とセパレータ要素２０（及びパイプ１０５）との間の部分に対して、例えば−０．５バールの負圧を蓄える。弁６９、６４の少なくとも一方が開くと、差圧は１バールにもなり得る。吸引が吹出しよりも大きいと、配管内で負圧が得られることにより、供給ステーション６１のファンネルから配管内に廃棄物を吸引させることができる。
【００２０】
本発明によるシステムの目標であるように、吸引が吹出しよりも大きいと、搬送パイプに供給される材料、特に廃材が圧搾及び圧縮されることがなく、搬送空気によって搬送されてパイプ内で「自由に」進むことが可能になる。この場合、吹出しが吸引よりも大きいことにより搬送中の材料が蓄積して搬送パイプを塞ぐ危険がある状況よりも、搬送中の材料が閉塞をもたらす可能性が大幅に低くなる。さらに、搬送方向の側で搬送中の材料部分に関して部分的な負圧でさえも特に空気抵抗を大幅に減らすため、材料の搬送に必要な力が負圧によって減る。図中、矢印が、動作モードでの配管内の空気の移動方向を示している。
【００２１】
廃材の搬送等、材料の搬送の際に、供給点の材料が最初に吸引によって供給パイプ１０１、１０３、又は１０４を経て搬送パイプに搬送されるとき、極めて速い加速及び搬送が材料に対して行われる。
【００２２】
このとき、差圧によって得られる搬送力は、例えば直径４００ｍｍのパイプ内で、約１２．３２ｋＮ（１，２５６ｋｐ）の範囲にあり得る。搬送パイプ１００の圧力側、すなわち図の例ではブロワ４０と弁６９、６４との間の部分は、搬送パイプの吸引側、すなわち通常は少なくとも弁６９、６４とセパレータ要素２０との間の部分よりも直径を実質的に小さくすることができる。この場合、圧力側は、その直径及び費用に関してより有利に形成することができる。
【００２３】
図の実施形態では、ブロワの吸引側にあるパイプ１０６にフィッティング１０７が形成され、フィッティング１０７には弁１２８があり、弁１２８を開くことによって回路の外側から真空ユニット及び／又はブロワの吸引側に追加の空気を入れることができる。弁１２８を開くことによって、必要であれば搬送パイプ内の空気の圧力を上昇させることが可能であり、材料を搬送する搬送速度が高められる。
【００２４】
供給パイプ１０３、１０４には出口弁６０、６５が配置され、出口弁６０、６５は、適当なサイズの材料部分が供給点６１、６６から分岐搬送パイプ１０１、１０２に搬送されるか又は主搬送パイプ１００に直接搬送されるように開閉される。材料は、廃棄物容器等の供給点６１、６６から供給され、容器が満杯になった後で、出口弁６０、６５が自動又は手動で開かれる。
【００２５】
システムは通常、以下のように動作する。セパレータデバイス２０の出口ハッチ２１が閉じられて、主搬送パイプ１００とセパレータデバイス２０との間の弁２６が開かれる。真空ポンプユニット３及び／又はブロワユニット４は、主搬送パイプ１００内の負圧を維持する。真空ユニット３及びブロワユニット４が共にセパレータデバイス２０を介して搬送パイプ１００に与える吸引作用は、ブロワユニット４が搬送パイプ１００の一端、すなわち吹出側で、ブロワ４０と弁６９又は弁６４との間の部分に与える圧力作用よりも大きい。
【００２６】
供給点すなわち廃棄物容器の付近にある出口弁６０、６５は、すべて閉じている。開始状況では、分岐搬送パイプ１０２のエリア弁（area valve）６４及び主搬送パイプ１００のライン弁（line valve）６９が閉じている。
【００２７】
第１の分岐搬送パイプ１０１のエリアに属する供給点６１の廃棄物容器の中身を排出すると仮定する。排出信号に基づいて、出口弁６０が一時的に、例えば２秒間〜１０秒間開かれることにより、廃材等の搬送される材料が、負圧の影響によって分岐搬送パイプに移り、さらに主搬送パイプ１００に移る。出口弁６０は通常、開始状況の数秒後に閉じられる。真空ポンプユニット３は、所望の負圧を維持し、ブロワユニット４は、まだ稼働していない場合には始動する。弁６９が開かれることにより、搬送中の材料部分を配管に沿ってセパレータデバイス２０に搬送する吹出し、すなわち強力な圧力作用と吸引作用とが配管内に与えられる。
【００２８】
分離装置２０が満杯になると、搬送パイプ１００の弁２６が閉じて制御弁２３が開き、それによってセパレータデバイスの出口ハッチ２１のアクチュエータ２４が出口ハッチ２１を開き、セパレータデバイスに蓄積された材料がコンパクタデバイス５０に排出されて廃棄物容器５１へさらに排出される。セパレータデバイス２０の出口ハッチ２１が閉じて弁２６が開く。
【００２９】
この後、開始状況が元に戻り、排出プロセスが繰り返され得るか、又は他の何らかの１つ又は複数の供給点の排出が実施され得る。
【００３０】
廃棄物貨物容器等の廃棄物容器５１は、満杯になると交換されるか又は中身を排出される。
【００３１】
廃棄物搬送の際に、吹出しが搬送される材料部分のできる限り近くに常に向けられるように、空気循環及び吹出しを最適化することが可能である。供給点６６を介して直接供給される材料部分が搬送されている場合、最初に主搬送パイプ１００の弁６９が開かれる。その材料部分が、図の場合には分岐搬送パイプ１０２と主搬送パイプ１００との接続点を通過した後で、分岐搬送パイプの弁６４が開かれて主搬送パイプの弁６９が閉じられることにより、吹出作用が搬送中の材料部分のできる限り近くに向けられ、その材料部分の動きを搬送パイプ内で最も良好に維持することができる。
【００３２】
図２は、システムの有利な一実施形態を示している。図中、供給ステーション又は供給点６１及びそれに関連するゲート要素６０が、搬送配管１００に沿って１つの円で概略的に示されている。供給点６１は通常、ファンネル等の供給容器と、供給点から搬送パイプ１００への接続を開閉する弁要素６０とを備える。システムの搬送配管１００及びそれに沿った供給点６１は、搬送配管に配置されているエリア弁ＶＡ、ＶＡＢ、ＶＢＣ、ＶＢＥ、ＶＢＥ等によって動作エリアＡ、Ｂ、Ｃ、Ｄ，Ｅ、Ｆ、Ｇ、Ｈ、Ｉに分割可能である。図中、動作エリアの搬送配管１００の各部分が、対応する動作エリアの文字で示されているため、動作エリアＡの地点では搬送パイプが１００Ａで示され、動作エリアＢの地点では搬送パイプが１００Ｂで示されている。対応する記号が他の動作エリアに関しても用いられる。システムの動作は、所望の動作エリアの供給点の中身を排出するために、搬送パイプ１００のその動作エリアに関して材料搬送方向において、搬送空気の供給側すなわち吸引側で、少なくとも１つの弁が開かれることにより、吸引がその動作エリアの搬送パイプに影響を及ぼすことができるように制御される。この図による構成において、エリアＡの供給点６１の中身を排出すると仮定する。この場合、搬送方向におけるセパレータ要素２０と搬送パイプ１００（図中の搬送パイプの部分１００Ｂ、１００Ｃ、１００Ｄ）の動作エリアＡとの間のすべてのエリア弁が開かれる（図中の弁ＶＡＢ、ＶＢＣ、ＶＣＤ、ＶＤ）。続いて、少なくとも１つの真空発生器３によって与えられる吸引が、動作エリアＡの搬送配管１００Ａ内に生じる。搬送パイプ１００Ａの吹出側の少なくとも１つの弁ＶＡが閉じられることにより、動作エリアＡに吸引のみが生じる。動作エリアの供給点６１又はそれらの少なくとも一部の中身が排出され、搬送パイプの搬送方向における送出端に最も近い、すなわちこの図による実施形態ではセパレータデバイス２０に最も近い、搬送パイプ１００Ａへの供給点６１（Ｉ）の接続が最初に開かれることにより、材料が第１の供給点から搬送パイプに移るようになっており、搬送パイプへの第１の供給点（Ｉ）の接続が閉じる前に、搬送パイプへの次の供給点６１（ＩＩ）の接続が開かれる。図の実施形態では、これは、材料搬送方向とは逆に進む方向に見た場合、中身を排出することが意図される次の供給点６１（ＩＩ）である。この後で、搬送パイプへの第１の供給点６１（Ｉ）の接続が閉じられる。同様に、搬送パイプへの第２の供給点６１（ＩＩ）の接続が閉じられる前に、搬送パイプへの中身を排出することが意図される第３の供給点６１（ＩＩＩ）の接続が開かれる。すべての所望の供給点の中身が排出されるまでこの動作が繰り返される。図中、エリアＡのすべての供給点６１の中身を排出することが考えられているため、搬送パイプ１００、１００Ａに対するそれらの排出順序は、図中で括弧内の数字（Ｉ）、（ＩＩ）、（ＩＩＩ）、（ＩＶ）、（Ｖ）、（ＶＩ）、（ＶＩＩ）、（ＶＩＩＩ）、（ＩＸ）、（Ｘ）、及び（ＸＩ）で示されている。動作エリアＡで中身を排出することが意図される、搬送パイプ１００への最後の供給点６１（ＸＩ）の通路が開かれ、材料が搬送パイプ１００、１００Ａに移り、搬送パイプへの供給点の通路が閉じられると、動作エリアＡと搬送パイプ１００への吹出しを行うブロワデバイス４との間にある少なくとも１つの弁要素ＶＡを開くことによって、吹出し側すなわちブロワ４から動作エリアＡの搬送パイプ１００Ａの接続が開かれる。続いて、強力な搬送作用（吸引及び吹出しの両方）が、搬送パイプ１００、１００Ａ、１００Ｂ、１００Ｃ、１００Ｄ内で移送される搬送中の材料に対して与えられる。搬送空気が、図中の矢印で示す経路で循環するため、供給点から搬送パイプに搬送される材料部分は、図の例ではエリアＢ、Ｃ、及びＤを通過してさらにセパレータ要素２０に至る経路で搬送配管内を移動し、搬送中の材料はセパレータ要素２０において搬送空気から分離される。図中、動作エリアＥの搬送パイプ１００Ｅのエリア弁ＶＢＥ及びＶＥＤが閉じられていることにより、搬送空気及び搬送中の材料は、動作エリアＥの搬送パイプ１００Ｅにアクセスできないが、エリアＣの搬送パイプ１００Ｃを経て循環する。異なる動作エリアの中身を排出することに関連して、動作エリアからセパレータ要素２０等の送出ステーションまでの材料搬送経路は、所望の搬送経路に沿ってエリア弁を開いたままにすることによって最適化され得る。
【００３３】
材料は、搬送パイプ内でセパレータデバイス２０に搬送される。セパレータデバイス２０は、必要な場合は例えば材料容器５１に中身を排出され、これに関連してコンパクタデバイス５０があり得る。図によるシステムでは、第２のセパレータデバイス２０’が、搬送空気からより小さな粒子を分離するためにセパレータ要素の後の搬送空気チャネル１０５にさらに配置される。第２のセパレータ要素２０’によって分離された粒子は、例えばコンベヤ２７によって材料容器５１に搬送され得る。搬送空気チャネル１０５において、空気循環方向における第２のセパレータ要素２０’の後には、搬送空気から小粒子を除去するフィルタ要素２５がある。空気チャネル１０５は、真空発生器３の吸引側に接続され、搬送空気チャネル１０５は、真空発生器３の前で、ブロワデバイス４の吸引側に接続される第２の搬送空気チャネル１０６に分岐する。ブロワデバイスの吹出側は、直接又は空気チャネル１１０を介して搬送パイプ１００に接続される。搬送配管１００は、搬送空気をブロワの吹出側から吸引側のセパレータ要素２０を介して循環させることができる少なくとも１つの回路を含む。動作エリアＡ、Ｂ、Ｃ、Ｄ、Ｅ、Ｆ、Ｇ、Ｈ、Ｉの１つ又は複数を搬送パイプ１００の有効搬送回路に接続することを、弁を用いて調節可能である。
【００３４】
図３は、図２のシステムに対応するシステムに接続されている本発明による洗浄システムを示しており、これは、搬送配管１００の少なくとも一部によって一部が形成される回路に接続可能である洗浄セパレータ７０を備える。図の実施形態では、洗浄セパレータ７０は、搬送パイプ１００に接続可能であり、搬送パイプ１００には三方弁等の弁要素８０が配置され、弁要素８０を用いて材料搬送のセパレータデバイス２０を介して又は洗浄セパレータ７０を介して搬送空気循環が制御される。洗浄セパレータ７０は、空気チャネル７９を介して、真空発生器３及び／又はブロワ４等の少なくとも１つのポンプデバイスの吸引側につながる空気チャネル１０５に接続可能である。図中、洗浄セパレータ７０内には、洗浄ボール又はラインピッグ等の洗浄手段７５が配置され、これはアクチュエータ７２、７４で出口ハッチ７１を開くことによって洗浄セパレータから除去することができる。洗浄デバイスは、図の実施形態ではファンネルである洗浄剤及び／又は洗浄手段の供給点７２をさらに備え、その中に洗浄剤及び／又は少なくとも１つの洗浄手段を設定可能である。洗浄剤及び／又は洗浄手段の供給点７２は、洗浄セパレータの出口ハッチを開くことによって洗浄剤及び／又は洗浄手段７５を洗浄セパレータから供給点に搬送可能であるように、洗浄セパレータ７０に関連して配置されることが有利である。図の実施形態では、供給点７２が洗浄セパレータの出口ハッチの下に配置されることにより、出口ハッチを開くことによって、洗浄剤及び／又は洗浄手段が重力で洗浄剤及び／又は洗浄手段の供給点に移る。洗浄剤及び／又は洗浄手段の供給点７２からは、その下方部分から洗浄チャネル７７がつながり、これは搬送パイプ１００の供給側に接続可能である。洗浄チャネル７７には、搬送パイプ１００への洗浄チャネル７７の接続を開閉することができる弁要素７６が配置される。洗浄チャネル７７の弁７６が開かれると、配管内にある負圧が、洗浄剤及び／又は少なくとも１つの洗浄手段７５を供給点７２の供給ファンネルから洗浄チャネル７７を介して搬送パイプ１００に搬送することが可能である。搬送空気は、洗浄することが意図される搬送パイプ１００の少なくとも一部によって一部が形成される回路内で循環するように制御される。洗浄剤及び／又は洗浄手段７５は、真空発生器及び／又はブロワ４等の少なくとも１つのポンプデバイスによって与えられる回路での吸引／吹出しによって搬送パイプ内を循環し、有利には遠心力によって洗浄剤及び／又は洗浄手段７５を搬送空気流から分離する洗浄セパレータ７０に戻り、洗浄セパレータ７０の下方部分に移る。必要であれば、洗浄剤及び／又は洗浄手段７５を交換又は洗浄することができ、回路内の洗浄循環を繰り返すことができるか、又は次に配管の他の何らかの部分を回路に接続することによってその部分を洗浄することができる。洗浄手段が、例えば粒状材料も含み得ることにより、通常は洗浄剤、液体、及び粒状材料から成る洗浄用装入物（cleaning charge）は、洗浄することが意図される搬送パイプの部分を含む回路内に差圧によって供給点７２から搬送される。洗浄剤及び／又は洗浄手段を用いて、洗浄されるパイプの壁が機械的及び／又は化学的に処理されることが有利である。
【００３５】
この図の開始点は、搬送パイプ１００のパイプ部分１００Ａ、１００Ｂ、１００Ｃ、及び１００Ｄの洗浄である。搬送パイプは、例えば廃材を１つ又は複数の供給点６１からセパレータデバイス２０に、さらに廃棄物容器５１等の材料容器に搬送するのに用いられていたため、汚れている。パイプの洗浄は、洗浄手段７５が最初は洗浄セパレータ７０内にあり、真空発生器３及び／又はブロワ４等のポンプデバイスで負圧が搬送パイプの洗浄すべき部分に与えられるように行われる。ポンプデバイスの吸引側は、洗浄セパレータに関連する搬送空気チャネル７９に接続される。洗浄セパレータ７０は、弁要素８０で搬送パイプ１００の入口端にも接続される。弁要素は、搬送パイプを正常搬送モードでセパレータデバイス２０に又は洗浄モードで洗浄セパレータ７０に接続することができる三方弁である。洗浄供給点７２を搬送パイプに接続するチャネル７７の弁要素７６が閉じられる。真空発生器３及び／又はブロワ４等のポンプデバイスの吹出端を搬送パイプ１００に接続するチャネルの弁要素１２２が閉じられる。図中ではボール形である洗浄手段７５で配管を洗浄すると仮定する。洗浄手段７５は、例えば、パイプの内径に従って構成される。これは、他の何らかの形状とすることもでき、そのサイズは、目的用途に従って構成されていてもよい。洗浄手段７５は、パイプ内に適切に押し込まれてパイプの内面を効果的に洗浄するために、その直径が洗浄されるパイプよりもわずかに大きくなり得るように弾性材料、例えばスポンジ状とすることもできる。その後、弁８１及び８２が閉じられて、洗浄セパレータの出口ハッチ７１が開かれることにより、洗浄手段が供給ファンネル７２に移る。洗浄セパレータの出口ハッチ７１が閉じられる。洗浄ラインの弁７６と、弁８１及び８２とが開かれることにより、洗浄セパレータ７０を介して搬送パイプに、さらに洗浄チャネル７７及び供給ファンネル内の少なくとも１つの洗浄手段７５に、負圧が作用すること可能であるため、洗浄手段７５が差圧の影響から洗浄チャネル７７に沿って搬送パイプ１００に移る。搬送パイプには、弁を開閉することによって、図中では供給ファンネル７５から洗浄チャネル７７を経て搬送パイプの部分１００Ａ、１００Ｂ、１００Ｃ、１００Ｄへ進みさらに洗浄セパレータ７０に戻る、洗浄することが意図される搬送パイプの部分すなわち経路が形成される。
【００３６】
洗浄手段が、回路において洗浄チャネルの搬送パイプ及び／又はポンプデバイスの圧力側から通じる搬送空気チャネル１１０の接続点を越えて移動したら、弁１２２を開くことによって回路における洗浄手段の搬送を促進することができることにより、ブロワ４及び／又は真空発生器３等のポンプデバイスの圧力側から搬送パイプへの接続ができる。このとき、搬送パイプには、洗浄セパレータの側から負圧が作用し、ポンプデバイスの圧力側から圧力が作用することにより、搬送の差圧が大きくなり、洗浄手段及び／又は洗浄剤のより効果的な搬送が行われる。同時に、ポンプデバイスの出口空気の体積が実質的に減ることにより、生じ得る微粒子及び悪臭公害が最小化される。
【００３７】
システムの搬送配管１００は、搬送配管に配置されているエリア弁ＶＡ、ＶＡＢ、ＶＢＣ、ＶＢＥ、ＶＢＥ等によって動作エリアＡ、Ｂ、Ｃ、Ｄ、Ｅ、Ｆ、Ｇ、Ｈ、Ｉに分割可能である。図中、動作エリアの搬送配管１００の各部分が、対応する動作エリアの文字で示されているため、動作エリアＡの地点では搬送パイプが１００Ａで示され、動作エリアＢの地点では搬送パイプが１００Ｂで示されている。対応する記号が他の動作エリアに関しても用いられる。システムの動作は、所望の動作エリアの搬送パイプ１００の部分を洗浄するために、その動作エリアが、搬送空気が循環可能であり且つ洗浄手段を供給することができる洗浄回路に属さなければならないように制御される。
【００３８】
図による実施形態では、洗浄装置は、廃棄物ステーション又は同等物の廃棄物搬送システムに関連するように等、材料搬送システムの作動ユニットに関連するように配置される。この場合の利点は、洗浄作業を１箇所で実施及び制御できることである。
【００３９】
洗浄プロセスは、必要な場合に行うことができる。通常、例えば材料供給点から異なる種類の材料が供給される状況で、洗浄が行われる。廃棄物搬送システムでは、例えば、有機廃棄物、混合廃棄物、及び古紙が材料搬送パイプ内で搬送されることが考慮可能である。この場合、洗浄は、異なる廃棄物種類の搬送の合間に行うことができる。
【００４０】
図４は、空気圧式材料搬送システム、特に廃材搬送システムの一部を概略的に示す。この図は、システムの作動ユニットと、搬送システムの材料の送出端、すなわち搬送中の材料を搬送空気から分離するシステムの一部とを示している。この図によるシステムでは、主搬送パイプ１００は、正常搬送モードで供給側からセパレータデバイス２０に接続されている。システムは、吸引側をセパレータデバイス２０又はセパレータデバイスから通じる搬送空気チャネル１０５に接続可能である少なくとも１つの真空発生器３を備えているため、真空発生器３によって搬送パイプ１００の少なくとも一部に負圧を与えることが可能である。システムは、少なくとも１つのブロワユニット４を備える。少なくとも１つの真空ユニット３及び少なくとも１つのブロワユニット４を備える本発明による作動ユニットの一実施形態は、複数の動作モードを有する。図４の実施形態は、真空ユニット３及びブロワユニット４の両方の吸引側がセパレータ要素又はセパレータデバイス２０、２０’から通じる搬送空気チャネル１０５、１０６に接続される動作モードを示す。この場合、最大限の吸引を搬送パイプ１００に提供可能である。真空ユニット３のポンプデバイス３０の吸引側とブロワユニット４のブロワ４０の吸引側とが、当該動作モードでは並列に接続されていることにより、最大限の吸引作用が搬送パイプ１００に与えられる。図の実施形態では、真空ユニット３の吹出側及びブロワユニット４の吹出側は、当該動作モードで出口チャネル１１２に吹出しを行うように構成され、出口チャネル１１２には、図の実施形態のように、出口空気を濾過するための少なくとも１つのフィルタデバイス１２９が通常は配置される。この動作モードは、廃材等の搬送中の材料、又は本発明における洗浄手段７５及び／又は洗浄剤及び／又は液体が１つ又は複数の供給点６１、７２又は同等物から搬送パイプ１００に搬送される状況で特に利用することができる。この場合、材料の極めて効果的な供給が搬送パイプにおいて提供される。
【００４１】
図５は、本発明によるシステムの作動ユニットの第２の動作モードを示しており、第２の動作モードでは、真空発生器３の吹出側が吹出ユニット４の吸引側に接続されるため、真空発生器の吹出側における空気の少なくとも一部が、吹出ユニットの吸引側に循環させられる。図の実施形態では、搬送空気チャネル１０９が、真空ユニット３の吹出側の搬送空気チャネル１０８から、ブロワユニットの吸引側につながる中間チャネル１０６に通じる（conveyed）ように配置される。搬送空気チャネル１０９には、図３の動作モードで開いている弁要素１２１が配置されている。ブロワユニット４は、図３の動作モードで、搬送パイプ１００の供給側につながる空気チャネル１１０に吹出しを行うように構成される。この場合、搬送パイプの少なくとも戻り側には、負圧及び吸引作用が与えられ、搬送パイプの供給側には、同様に吹出作用が与えられる。したがって、この動作モードでは、真空ユニット３が搬送パイプの送出端から吸引を行ってブロワユニットが搬送パイプの供給端から吹出しを行うため、搬送パイプ１００によって一部が形成される回路に、最大搬送空気流を与えることが可能である。この動作モードでは、搬送パイプ１００の一部によって一部が形成される回路内で搬送空気が循環させられ、真空ユニットの吹出空気が吹出ユニットの吸引側に搬送されてさらに搬送パイプ１００に搬送され、セパレータデバイス２０、７０を経て真空ユニットの吸引側に循環し戻るため、出口空気の体積を最小に保つか又は皆無にすることができる。真空ユニット及びブロワユニットは、「直列に」接続される。この動作モードでは、搬送パイプ内で搬送中の材料に極めて効率的な搬送作用が与えられる。この動作モードは、搬送パイプ内で送出端に、特にセパレータデバイスに材料を搬送する際に用いられる。吹出作用すなわち圧力の発生は、負圧の発生よりも明らかに費用効果的であるため、吹出しと吸引との組み合わせは極めて効率的である。
【００４２】
図６は、システムの作動ユニットの第３の動作モードを示しており、第３の動作モードでは、真空ユニット３の吹出側が搬送パイプ１００の供給側に接続されている空気チャネル１１０に接続され、ブロワユニット４の吹出側が搬送パイプ１００の供給側に接続されている空気チャネル１１０に接続されている。真空発生器の吸引側は、セパレータデバイス２０、７０又はそこから通じる空気チャネル１０５に接続される。ブロワユニット４の吸引側は、セパレータデバイス２０、７０に又はそこから通じる搬送空気チャネル１０５に空気チャネル１０６で接続される。追加空気が必要な可能性があるため、入口空気チャネル１０７が配置されており、図の実施形態では入口空気チャネル１０７の弁が開いていることにより、真空発生器３及び／又はブロワ４の吸引側に追加空気が導入される。この実施形態の動作モードでは、真空発生器及びブロワユニットの両方が搬送配管への吹出し及び搬送配管からの吸引を行うように構成されているため、最大空気流が配管内に与えられる。この動作モードは、搬送配管１００のエアフラッシング及び／又は搬送配管の乾燥に利用することができる。真空ユニット３及び／又はブロワユニット４において、空気が圧縮されて温まる。これが、乾燥動作を促進及び加速させる。
【００４３】
本発明による場合、搬送パイプ１００は、吸引／吹出回路の少なくとも一部であり、その出口端及び入口端は、廃棄物ステーションに関連するように構成されることが有利であり、吸引／吹出回路の出口端は、真空発生器及び／又はブロワ４０の吹出側にあり、入口端は、真空発生器及び／又はブロワ４０の吸引側にある。真空発生器及び／又はブロワは、搬送パイプ１００によって一部が形成される吸引／吹出回路内で空気を循環させることができる。供給点６１、６６は、システム配管に沿って分散して位置決めされ得る。廃棄物搬送システムに関連して、供給点は、例えば廃棄物入れ又は廃棄物シュートであり得る。
【００４４】
したがって、本発明は廃棄物搬送システム等の空気圧式材料搬送システムの搬送パイプを洗浄する方法であって、洗浄される搬送パイプに少なくとも１つの洗浄手段７５及び／又は洗浄剤及び／又は液体が供給され、パイプに差圧が与えられ、洗浄するために洗浄手段及び／又は洗浄剤及び／又は液体が、洗浄することが意図される搬送パイプ部分を通して差圧の影響によって移動させられる方法に関する。本方法において、洗浄することが意図される搬送パイプ１００の少なくとも一部が、真空ユニット３等の少なくとも１つの第１のポンプデバイス及び／又はブロワユニット４等の少なくとも１つの第２のポンプデバイスによる少なくとも洗浄手段７５及び／又は洗浄剤及び／又は液体の搬送中に、搬送空気を循環させる回路の部分として接続される。
【００４５】
本発明の有利な一実施形態によれば、本方法は、廃棄物搬送システムの搬送パイプ１００の洗浄に用いられる。
【００４６】
本発明の一実施形態によれば、本方法において、洗浄手段７５は、供給点７２から供給され、洗浄循環後にセパレータデバイス２０、７０に戻り、セパレータデバイス２０、７０は、有利には該供給点７２と実質的に同じ空間にある。
【００４７】
有利な一実施形態によれば、本方法において、洗浄手段７５として、パイプのいわゆる「ラインピッグ」等、パイプに適した洗浄ボール又は他の何らかの洗浄手段が用いられる。本方法において、洗浄手段７５は、単独で、又は液体及び／又は洗浄剤と共に用いられ得る。
【００４８】
有利な一実施形態によれば、本方法において、洗浄手段及び／又は洗浄剤及び／又は液体は、差圧の影響によって洗浄ライン７７で搬送配管に接続される洗浄手段の供給点７２から該配管に供給される。
【００４９】
典型的には、洗浄手段及び／又は洗浄剤及び／又は液体は、洗浄することが意図される搬送パイプ１００の部分を経て、セパレータデバイス２０、７０に、特に洗浄手段７５及び／又は洗浄剤及び／又は液体を搬送空気から分離する洗浄セパレータ７０に循環させられる。
【００５０】
有利な一実施形態によれば、洗浄手段及び／又は洗浄剤及び／又は液体は、洗浄循環の終わりに、有利には三方弁８０等の多方弁で、別個の洗浄セパレータ７０に向けて制御される。
【００５１】
有利な一実施形態によれば、本方法において、第１の動作モードで、真空発生器３等の少なくとも１つの第１のポンプデバイス及び／又はブロワユニット４等の１つの第２のポンプデバイスで、回路内に負圧が与えられ、第１のポンプデバイス及び／又は第２のポンプデバイスの吸引側が、セパレータ要素２０、７０に又はそれにつながる空気チャネル１０５、１０６、７９を介して搬送パイプ１００に接続される。この場合、搬送パイプ内に負圧が与えられ、それによって搬送パイプ内で洗浄手段及び／又は洗浄剤及び／又は液体を搬送するための差圧が形成される。
【００５２】
有利な一実施形態によれば、本方法の第１の動作モードで、真空ユニット３等の少なくとも１つの第１のポンプデバイス及び／又はブロワユニット４等の１つの第２のポンプデバイスの吹出側が、出口チャネル１１２又は同等物に接続される。この場合、最大限効果的な負圧及び吸引が搬送パイプ内に与えられる。
【００５３】
有利な一実施形態によれば、本方法の第２の動作モードで、真空ユニット３等の少なくとも１つの第１のポンプデバイスの吹出側が、ブロワユニット４等の少なくとも１つの第２のポンプデバイスの吸引側に接続されるため、第１のポンプデバイスの吹出側の空気の少なくとも一部が、第２のポンプデバイスの吸引側に循環させられる。この場合、強力な差圧が搬送パイプ内に与えられ、そのセパレータデバイス２０、７０の側には負圧があり、搬送される少なくとも１つの洗浄手段７５のセパレータ要素に関して逆側では、吹出しによって高圧が与えられる。
【００５４】
本発明の一実施形態によれば、本方法において、吹出側が回路に吹出しを行うように接続される真空発生器３及び／又はブロワ４等の少なくとも１つのポンプデバイスで、該回路に圧力が与えられる。
【００５５】
本発明の別の形態によれば、本方法において、洗浄段階後、回路内で搬送空気を循環させることによって、特に真空発生器３等の少なくとも１つの第１のポンプデバイス及び／又はブロワ４等の１つの第２のポンプデバイスで該回路に吹出しを行うことによって、搬送配管の少なくとも一部が空気でフラッシュされ且つ／又は乾燥される。
【００５６】
有利な一実施形態によれば、本方法は、搬送される材料の種類を変更する前に用いられる。通常、例えば廃棄物搬送において、有機廃棄物、混合廃棄物、及び／又は古紙等の異なる種類の廃棄物を搬送するために１つの搬送パイプを利用できることにより、搬送される材料を変更する前に搬送配管が洗浄され得る。
【００５７】
有利な一実施形態によれば、本方法は、搬送パイプ内で搬送される材料が例えば廃棄物の選別によって変更されるときに、廃棄物搬送システムに関連して用いられる。
【００５８】
本発明はまた、廃棄物搬送システム等の空気圧式材料搬送システムの搬送パイプ１００を洗浄する装置であって、洗浄することが意図される搬送パイプに洗浄手段及び／又は洗浄剤及び／又は液体を供給する手段と、少なくとも洗浄中に搬送パイプ１００内に差圧を与える手段３、４とを備える装置に関する。搬送パイプ１００の少なくとも一部が、真空ユニット３等の少なくとも１つの第１のポンプデバイス及びブロワユニット４等の少なくとも１つの第２のポンプデバイスによる少なくとも洗浄手段７５及び／又は洗浄剤及び／又は液体の搬送中に、搬送空気を循環させる回路の部分として接続可能である。
【００５９】
有利な一実施形態によれば、本装置は、洗浄ライン７７で搬送配管に接続される洗浄手段の供給点７２を備え、該洗浄ライン７７に、該供給点から搬送パイプへの接続を開閉するための弁要素７６がある。
【００６０】
有利な一実施形態において、差圧を発生させる手段は、真空発生器３等の少なくとも１つの第１のポンプデバイス及び／又はブロワユニット４等の１つの第２のポンプデバイスを備え、第１のポンプデバイス及び／又は第２のポンプデバイスの吸引側が、セパレータ要素２０、特に洗浄セパレータ７０に、又はそれにつながる空気チャネル１０５、１０６、７９を介して搬送パイプ１００に接続可能である。
【００６１】
有利な一実施形態によれば、本装置は、２つ以上のセパレータデバイス２０、７０間での搬送空気循環の進路（travel）を変更する手段８０を備える。図の実施形態では、搬送パイプ１００と少なくとも２つのセパレータデバイス２０、７０につながるチャネル７８、１００’との交差点に配置される三方弁８０等の多方弁が用いられる。
【００６２】
有利な一実施形態によれば、洗浄手段の供給点７２及び洗浄セパレータ７０は、互いに近くに、有利には実質的に同じ空間に配置される。図の実施形態では、供給点７２及び戻り点すなわち洗浄システムの洗浄セパレータ７０は、廃棄物ユニットに関連して、通常は廃棄物ステーション等の同じ空間に配置される。
【００６３】
有利な一実施形態によれば、第１の動作モードで、真空ユニット３等の少なくとも１つの第１のポンプデバイス及び／又はブロワユニット４等の１つの第２のポンプデバイスの吹出側が、出口チャネル１１２又は同等物に接続される。これは、洗浄手段が供給点から搬送パイプに搬送される段階で短時間だけ用いられる。
【００６４】
第２の動作モードでは、真空ユニット３等の少なくとも１つの第１のポンプデバイスの吹出側が、ブロワユニット４等の少なくとも１つの第２のポンプデバイスの吸引側に接続されるため、第１のポンプデバイスの吹出側の空気の少なくとも一部が、第２のポンプデバイスの吸引側に循環させられる。この実施形態では、２つのポンプデバイスの力が利用されて、より大きな差圧及び／又は搬送空気量が与えられる。
【００６５】
別の実施形態によれば、システムは、吹出側が回路に吹出しを行うように接続される真空発生器３及び／又はブロワ４等の少なくとも１つのポンプデバイスで、回路に圧力を与えるように構成される。
【００６６】
有利には、本装置は回路内で搬送空気を循環させることによって、特に真空発生器３等の少なくとも１つの第１のポンプデバイス及び／又はブロワ４等の１つの第２のポンプデバイスで該回路に吹出しを行うことによって、搬送配管１００の少なくとも一部を空気でフラッシュし且つ／又は乾燥させる手段をも備える。
【００６７】
一実施形態によれば、洗浄手段７５は、パイプのいわゆる「ラインピッグ」等、搬送パイプ１００に適した洗浄ボール又は他の何らかの洗浄手段である。
【００６８】
本発明の有利な一実施形態によれば、本装置は、廃棄物搬送システムに接続される。
【００６９】
本発明が上述の実施形態に限定されるのではなく、添付の特許請求の範囲内で変更できることは当業者には明らかである。必要であれば、本明細書に記載された可能性のある特徴と共に他の特徴は、互いに別個に使用することもできる。
【図１】
2011506233.tif 000003
【図２】
2011506233.tif 000004
【図３】
2011506233.tif 000005
【図４】
2011506233.tif 000006
【図５】
2011506233.tif 000007
【図６】
2011506233.tif 000008
【国際調査報告】
2011506233.tif 000009
2011506233.tif 000010
2011506233.tif 000011